(57)【要約】  【課題】  アーム及び羽根の光軸方向へのあばれ現象を抑制する。  【解決手段】  一方の地板Ｂに形成された長孔Ｂ４，Ｂ５を貫通する駆動部材３，３′の駆動ピン３ａ，３ａ′に対し、アーム２，２に形成された連結孔２ｂ，２ｂを連結させると共に、該駆動ピン３ａ，３ａ′の先端側に止め部材４，４′を固着し、この止め部材４，４′のアーム側面４ａ，４ａ′に上記連結孔２ｂ，２ｂの周縁部を摺接させて前記アーム２，２が前記駆動ピン３ａ，３ａ′の軸方向へ位置決めされることにより、駆動部材３，３′の駆動ピン３ａ，３ａ′でアーム２，２の連結孔２ｂ，２ｂを地板Ｂの長孔Ｂ４，Ｂ５に沿って往復回動させる時に、これら駆動ピン３ａ，３ａ′と連結孔２ｂとの連結部において駆動ピン３ａ，３ａ′の軸方向のアーム２，２のガタツキが抑制され、それに伴う羽根１の同方向への動きも抑制される。  【選択図】      図１
2008164992.tif 000002
【特許請求の範囲】
【請求項１】
各々が露光用の開口部を有していて両者間に少なくとも一つの羽根室を構成している二つの地板と、前記二つの地板のうち一方の地板に回転自在に取り付けられた複数のアームと該複数のアームに各々回転可能に連結された少なくとも一枚の羽根とで構成された少なくとも一組のシャッタ羽根と、前記アームの一つを往復回動させることによって前記シャッタ羽根に前記開口部の開閉作動を行わせる少なくとも一つの駆動部材とを備えたフォーカルプレーンシャッタにおいて、
前記一方の地板に形成された長孔を貫通する前記駆動部材の駆動ピンに対し、前記アームに形成された連結孔を連結させると共に、該駆動ピンの先端側に止め部材を固着し、この止め部材のアーム側面に上記連結孔の周縁部を摺接させて前記アームが前記駆動ピンの軸方向へ位置決めされていることを特徴とするフォーカルプレーンシャッタ。
【請求項２】
前記駆動ピンに、前記アームの連結孔の周縁部と摺接する係止部を形成し、該係止部と前記止め部材のアーム側面とでアームの連結孔の周縁部を前記駆動ピンの軸方向へ両側から挟み込んだことを特徴とする請求項１に記載のフォーカルプレーンシャッタ。
【請求項３】
前記駆動ピンの先端部を前記止め部材に圧入嵌合して一体化したことを特徴とする請求項１または２に記載のフォーカルプレーンシャッタ。
【請求項４】
各々が露光用の開口部を有していて両者間に少なくとも一つの羽根室を構成している二つの地板と、前記二つの地板のうち一方の地板に回転自在に取り付けられた複数のアームと該複数のアームに各々回転可能に連結された少なくとも一枚の羽根とで構成された少なくとも一組のシャッタ羽根と、前記アームの一つを往復回動させることによって前記シャッタ羽根に前記開口部の開閉作動を行わせる少なくとも一つの駆動部材とを備えたフォーカルプレーンシャッタにおいて、
前記アームに開穿された支持孔に対し、前記一方の地板に固定配置された支軸を挿通して回動自在に枢着し、前記支持孔の周縁部と前記各地板との間に摺接リングを夫々設け、この摺接リングにアームの支持孔の周縁部を摺接させて上記支軸の軸方向へ位置決めしたことを特徴とするフォーカルプレーンシャッタ。
【請求項５】
前記摺接リングを低摩擦材料で表面処理したことを特徴とする請求項４に記載のフォーカルプレーンシャッタ。
【発明の詳細な説明】
【技術分野】
【０００１】
本発明は、デジタルカメラ、銀塩フィルムカメラ等に搭載されるカメラ用フォーカルプレーンシャッタに関する。
詳しくは、遮光性の羽根とアームとを回転可能に連結し、このアームの回転により羽根に開口部の開閉作動をさせるフォーカルプレーンシャッタに関する。
【背景技術】
【０００２】
従来、この種のフォーカルプレーンシャッタとして、地板（シャッタ地板）には、円弧状をした二つの長孔が形成されると共に、先羽根用駆動部材と後羽根用駆動部材が回転可能に取り付けられ、これら駆動部材の駆動ピンが地板の長孔を貫通して夫々羽根室内に延伸し、また地板（シャッタ地板）には、シャッタ羽根（先羽根群、後羽根群）を夫々構成する二つのアームの一端が枢着され、これら二つのアームの根本側には、連結孔（長孔）が形成されて、各駆動部材の駆動ピンを夫々嵌合させると共に、スリット形成羽根の枢支部から延伸した押さえ部が形成されている。そのため、該駆動ピンで上記地板の長孔に沿ってアームを往復回動させることにより、前記二つのアームに枢支した複数枚の羽根が展開状態から重畳するか又は重畳状態から展開し、この開閉作動中、前記押さえ部が常にスリット形成羽根と重なっていて、露光作動の全ての時点において、少なくともスリット形成羽根のあばれ現象を抑制することができるようにしたものがある（例えば、特許文献１参照）。
【０００３】
【特許文献１】特開２０００−２９０６号公報（第３−５頁、図１−２）
【発明の開示】
【発明が解決しようとする課題】
【０００４】
しかし乍ら、このような従来のフォーカルプレーンシャッタでは、各シャッタ羽根においてアームの一端側には地板に対する枢着部が２つあり、またアームの連結孔と駆動部材の駆動ピンの連結部があると共に、アームの他端側には羽根との枢支部が羽根の枚数の２倍の数だけあり、それらは所定の公差を有して連結されるため、このような構成のシャッタ羽根を、駆動部材によって高速に作動させると、これらアームや羽根には、本来の作動方向へ動かされるだけではなく、作動方向とは直交する方向（即ち、光軸方向）への力も加わり、アームや羽根に複雑な力が作用することになる。
【０００５】
また、周知のようにカメラの小型化に伴って、現在、一般的に使用されているアームの厚さが約０．２ｍｍ程度で、羽根の厚さが約０．１ｍｍ程度の極薄な帯板状に形成されるために、そのような複雑な力が作用すると、傾きや撓みや捩じれを生じてしまい、スリット形成羽根を含む羽根の作動が安定せず、適正な露光制御が行えなくなってしまうほか、例えば、スリット形成羽根が、上記した中間板の開口部の縁に衝突し、破壊してしまうというようなことさえ発生する。
また、このような傾きや撓みや捩じれを生じる現象（以下、あばれ現象という）は、露光作動中においてのみならず、露光作動終了時に、各シャッタ羽根がストッパに当接したときにも発生する。このときに受ける衝撃は極めて大きく、羽根間に隙間が生じて露光むらを生じさせてしまうことがあるほかに、あばれ現象が生じて、各羽根が裂けたり、地板に対するアームの枢着部が破壊されたりすることもある。
【０００６】
そのため、これまでにも、あばれ現象を抑制することの可能な多くの種類の構成が提案されているものの、これらの提案は、アームから羽根に亘る箇所の光軸方向への動きを抑制するだけで、駆動ピンとアームの連結部や地板に対するアームの枢着部における光軸方向へのガタツキ抑制については不十分であった。
【０００７】
本発明は、このような問題点を解決するためになされたものであり、その目的とするところは、アーム及び羽根の光軸方向へのあばれ現象を抑制可能なフォーカルプレーンシャッタを提供することにある。
【課題を解決するための手段】
【０００８】
前述した目的を達成するために、本発明のうち請求項１に記載の発明は、各々が露光用の開口部を有していて両者間に少なくとも一つの羽根室を構成している二つの地板と、前記二つの地板のうち一方の地板に回転自在に取り付けられた複数のアームと該複数のアームに各々回転可能に連結された少なくとも一枚の羽根とで構成された少なくとも一組のシャッタ羽根と、前記アームの一つを往復回動させることによって前記シャッタ羽根に前記開口部の開閉作動を行わせる少なくとも一つの駆動部材とを備えたフォーカルプレーンシャッタにおいて、前記一方の地板に形成された長孔を貫通する前記駆動部材の駆動ピンに対し、前記アームに形成された連結孔を連結させると共に、該駆動ピンの先端側に止め部材を固着し、この止め部材のアーム側面に上記連結孔の周縁部を摺接させて前記アームが前記駆動ピンの軸方向へ位置決めされていることを特徴とするものである。
請求項２に記載の発明は、請求項１に記載の発明の構成に、前記駆動ピンに、前記アームの連結孔の周縁部と摺接する係止部を形成し、該係止部と前記止め部材のアーム側面とでアームの連結孔の周縁部を前記駆動ピンの軸方向へ両側から挟み込んだ構成を加えたことを特徴とする。
請求項３に記載の発明は、請求項１または２に記載の発明の構成に、前記駆動ピンの先端部を前記止め部材に圧入嵌合して一体化した構成を加えたことを特徴とする。
そして、請求項４に記載の発明は、各々が露光用の開口部を有していて両者間に少なくとも一つの羽根室を構成している二つの地板と、前記二つの地板のうち一方の地板に回転自在に取り付けられた複数のアームと該複数のアームに各々回転可能に連結された少なくとも一枚の羽根とで構成された少なくとも一組のシャッタ羽根と、前記アームの一つを往復回動させることによって前記シャッタ羽根に前記開口部の開閉作動を行わせる少なくとも一つの駆動部材とを備えたフォーカルプレーンシャッタにおいて、前記アームに開穿された支持孔に対し、前記一方の地板に固定配置された支軸を挿通して回動自在に枢着し、前記支持孔の周縁部と前記各地板との間に摺接リングを夫々設け、この摺接リングにアームの支持孔の周縁部を摺接させて上記支軸の軸方向へ位置決めしたことを特徴とするものである。
請求項５に記載の発明は、請求項４に記載の発明の構成に、前記摺接リングを低摩擦材料で表面処理した構成を加えたことを特徴とする。
【発明の効果】
【０００９】
本発明のうち請求項１の発明は、一方の地板に形成された長孔を貫通する駆動部材の駆動ピンに対し、アームに形成された連結孔を連結させると共に、該駆動ピンの先端側に止め部材を固着し、この止め部材のアーム側面に上記連結孔の周縁部を摺接させて前記アームが前記駆動ピンの軸方向へ位置決めされることにより、駆動部材の駆動ピンでアームの連結孔を地板の長孔に沿って往復回動させる時に、これら駆動ピンと連結孔との連結部において駆動ピンの軸方向のアームのガタツキが抑制され、それに伴う羽根の同方向への動きも抑制される。
従って、アーム及び羽根の光軸方向へのあばれ現象を抑制可能なフォーカルプレーンシャッタを提供することができる。
その結果、スリット形成羽根のあばれ現象を抑制するためにアームから羽根に亘る箇所の光軸方向への動きを抑制した従来構造に追加すれば、シャッタ羽根のアームの動作をより確実に維持させることができて、羽根全体のあばれ現象を更に軽減させることができる。
【００１０】
請求項２の発明は、請求項１の発明の効果に加えて、駆動ピンに、アームの連結孔の周縁部と摺接する係止部を形成し、該係止部と止め部材のアーム側面とでアームの連結孔の周縁部を前記駆動ピンの軸方向へ両側から挟み込むことにより、駆動部材の駆動ピンでアームの連結孔を地板の長孔に沿って往復回動させる時に、これら駆動ピンと連結孔との連結部において地板側のアームのガタツキが抑制され、それに伴う羽根の同方向への動きも抑制される。
従って、アームと駆動ピンの連結部のガタツキをより一層防止して更にあばれ現象の抑制機能を向上させることができる。
【００１１】
請求項３の発明は、請求項１または２の発明の効果に加えて、駆動ピンの先端部に止め部材を圧入嵌合して一体化することにより、駆動ピンの先端部に対して止め部材が固定され、これら両者でアームの連結孔の周縁部を挟み込む構造が保持される。
従って、駆動ピンに対する止め部材の連結構造を簡素化することができる。
その結果、極薄な板状のアームの支持構造を高精度で実現でき、更に耐衝撃性能にも優れて、長期に亘り駆動ピンとアームの連結部のガタツキを抑制できると共に、小型化も可能なので、シャッタの小型化を損なわずに実施できる。
【００１２】
請求項４の発明は、アームに開穿された支持孔に対し、一方の地板に固定配置された支軸を挿通して回動自在に枢着し、前記支持孔の周縁部と地板との間に摺接リングを夫々設け、この摺接リングにアームの支持孔の周縁部を摺接させて上記支軸の軸方向へ位置決めすることにより、駆動部材でアームを前記各地板の長孔に沿って往復回動させる時に、このアームの支持孔と支軸との枢着部において支軸の軸方向（光軸方向）へアームのガタツキが抑制されて、それに伴う羽根の同方向への動きも抑制される。
従って、アーム及び羽根の光軸方向へのあばれ現象を抑制可能なフォーカルプレーンシャッタを提供することができる。
その結果、スリット形成羽根のあばれ現象を抑制するためにアームから羽根に亘る箇所の光軸方向への動きを抑制した従来構造に追加すれば、シャッタ羽根のアームの動作をより確実に維持させることができて、羽根全体のあばれ現象を更に軽減させることができる。
【００１３】
請求項５の発明は、請求項４の発明の効果に加えて、摺接リングを低摩擦材料で表面処理することにより、アームの往復回動に伴って、その支持孔の周縁部が摺接リングの表面と滑らかに摺動する。
従って、アームの往復回動をスムーズにして更にあばれ現象の抑制機能を向上させることができる。
【発明を実施するための最良の形態】
【００１４】
以下、本発明の二つの実施例を図面に基づいて説明する。
図１〜図４は本発明の第１実施例を示したものであって、図１は本発明のフォーカルプレーンシャッタにおいて、シャッタ羽根Ａ，Ａ′の露光作動終了直後の状態を示し、図２は図１と同様にして視たシャッタ羽根Ａ，Ａ′のセット完了状態を示し、図３は図１の（３）−（３）線に沿える部分的な縦断面図であり、図４は駆動ピンとアームとの連結部を示す斜視図である。
更に、図５〜図８は本発明の第２実施例を示したものであって、図５は本発明のフォーカルプレーンシャッタにおいて、シャッタ羽根Ａ，Ａ′の露光作動終了直後の状態を示し、図６は図５と同様にして視たシャッタ羽根Ａ，Ａ′のセット完了状態を示し、図７は図５の（７）−（７）線に沿える部分的な縦断面図であり、図８は補助地板Ｄの部分拡大図である。
【実施例１】
【００１５】
最初に、本発明の第１実施例の構成を説明する。
この第１実施例では、本発明のフォーカルプレーンシャッタが、シャッタ地板Ｂの背面側に、周知の中間板Ｃと補助地板Ｄが夫々所定の間隔をあけて順に取り付けられており、これら板部材の間に二つの羽根室を形成し、それらの羽根室内には、遮光性の羽根１とアーム２，２′とからなるシャッタ羽根Ａを先羽根とし、シャッタ羽根Ａ′を後羽根として夫々羽根１が三枚ずつ個別に配置された場合を示している。
【００１６】
上記中間板Ｃと補助地板Ｄの間に先羽根Ａが配置され、シャッタ地板Ｂと中間板Ｃの間に後羽根Ａ′が配置されているが、図３では先羽根Ａの図示が省略されている。
また、図４では中間板Ｃと補助地板Ｄの図示が省略されている。
【００１７】
図１において、シャッタ地板Ｂ、中間板Ｃ及び補助地板Ｄには、その略中央部に長方形を横長にした露光用の開口部Ｂ１，Ｃ１，Ｄ１が形成されていて、中間板Ｃの開口部Ｃ１より小さいシャッタ地板Ｂ及び補助地板Ｄの開口部Ｂ１，Ｄ１で露光用開口が規制されている。
シャッタ地板Ｂの被写体側には、駆動部材３，３′を支持するための支軸Ｂ２，Ｂ３と、セット部材Ｅの取付軸Ｅ１が立設されると共に、円弧状の二つの長孔Ｂ４，Ｂ５が開穿され、それらの下方端部には、平面形状が略Ｃ字状に形成した緩衝部材Ｂ６，Ｂ７が取り付けられている。
【００１８】
上記支軸Ｂ２，Ｂ３には、先羽根用駆動部材３と後羽根用駆動部材３′が回転可能に取り付けられ、該先羽根用駆動部材３の駆動ピン３ａが前記長孔Ｂ４を貫通して、後述する先羽根Ａの連結孔２ｂと連結されており、該後羽根用駆動部材３′の駆動ピン３ａ′が前記長孔Ｂ５を貫通して、後述する後羽根Ａ′の連結孔２ｂと連結されている。
【００１９】
また、上記支軸Ｂ２，Ｂ３は、それらと同軸の支軸Ｂ２′，Ｂ３′を、羽根室側に有しており、このシャッタ地板Ｂの羽根室側には、支軸Ｂ８，Ｂ９が立設されている。
【００２０】
上記先羽根を構成するシャッタ羽根Ａのアーム２，２′には、夫々の根本部に支持孔２ａ，２ａ′が開穿され、これら支持孔２ａ，２ａ′に前記支軸Ｂ２′，Ｂ８を直接挿通することで、アーム２，２′の根本部が夫々回動自在に枢着されている。
【００２１】
上記先羽根Ａの各羽根１とアーム２，２′とは、各羽根１の根本部及びアーム２，２′とを重ね合わせ、例えばダボやボスなどの連結部材１ａをカシメなどで一体的に取り付けることにより、これらアーム２，２′に対して各羽根１が回動自在に枢支されている。
更に、これらアーム２，２には、前記先羽根用駆動部材３の駆動ピン３ａが挿通する連結孔２ｂを開穿して連結させている。
【００２２】
一方、前記後羽根Ａ′は、先羽根Ａを裏返して配置したものであり、そのアーム２，２′には、夫々の根本部に前記支軸Ｂ３′，Ｂ９が挿通する支持孔２ａ，２ａ′を開穿して夫々回動自在に枢着させると共に、これらアーム２，２には、前記後羽根用駆動部材３′の駆動ピン３ａ′と係合する連結孔２ｂ，２ｂが開穿され、それ以外の構成は先羽根Ａと同じなので説明を省略する。
これら先羽根Ａと後羽根Ａ′の各々の羽根１の中、各アーム２，２′の先端側で連結された羽根がスリット形成羽根である。
【００２３】
そして、このようなスリット形成羽根を含む羽根１の光軸Ｏ方向へのあばれ現象を抑制するための手段が、上記先羽根用駆動部材３及び後羽根用駆動部材３′の各駆動ピン３ａ，３ａ′に設けられる。
第１実施例の場合には、該あばれ現象抑制手段が、図３及び図４に示す如く、上記先羽根用駆動部材３の駆動ピン３ａ及び後羽根用駆動部材３′の駆動ピン３ａ′に、前記先羽根Ａ及び後羽根Ａ′の各アーム２，２に開穿された連結孔２ｂ，２ｂを夫々光軸Ｏ方向へ挿通させて係止させると共に、これら連結孔２ｂ，２ｂの径よりも大きな止め部材４，４を夫々固着し、各止め部材４，４のアーム側面４ａ，４ａと連結孔２ｂ，２ｂの周縁部を夫々摺接させることで、先羽根Ａ及び後羽根Ａ′の各アーム２，２を各駆動ピン３ａ，３ａ′の軸方向へ位置決めしている。
【００２４】
詳しく説明すると、上記駆動ピン３ａ，３ａ′の軸方向中間位置には、前記連結孔２ｂ，２ｂの周縁部と対向して摺接する該連結孔２ｂ，２ｂのよりも大きな係止部３ｂ，３ｂ′を形成し、この係止部３ｂ，３ｂ′よりも軸方向先端側には小径部３ｃ，３ｃ′を形成し、この先端小径部３ｃ，３ｃ′を前記連結孔２ｂ，２ｂに挿通して連結させると共に、該連結孔２ｂ，２ｂから貫通して突出する先端小径部３ｃ，３ｃ′を、前記止め部材４，４のアーム側面４ａ，４ａに凹設される嵌合穴４ｂ，４ｂに圧入嵌合して夫々一体化することにより、これら係止部３ｂ，３ｂ′と止め部材４，４のアーム側面４ａ，４ａとで連結孔２ｂ，２ｂの周縁部を駆動ピン３ａ，３ａ′の軸方向（光軸Ｏ方向）へ両側から挟み込んでいる。
【００２５】
また、上記駆動ピン３ａ，３ａ′の小径部３ｃ，３ｃ′の断面形状と連結孔２ｂ，２ｂの形状を略同じにして回転不能に嵌合させているが、それらを円形とすることで回転可能としても良い。
また図示例では、直線のみで囲まれた矩形にしているが、その他の例として円弧状曲線と直線で囲まれた小判形やそれ以外の多角形や半円形などに形成することも可能であり、更にこれら小径部３ｃ，３ｃ′と止め部材４，４の嵌合穴４ｂ，４ｂとを圧入嵌合以外の接合方法で連結させることも可能である。
【００２６】
更に、上記駆動ピン３ａ，３ａ′において係止部３ｂ，３ｂ′を挟んで小径部３ｃ，３ｃ′と反対側の根本部分には、前記長孔Ｂ４，Ｂ５を貫通する当接部３ｄ，３ｄ′が、前記緩衝部材Ｂ６，Ｂ７と対向して形成されている。
尚、図３において、前記シャッタ地板Ｂ、中間板Ｃ及び補助地板Ｄの開口部Ｂ１，Ｃ１，Ｄ１の被写体と反対側には、カメラ本体側部材Ｆに取り付けられた撮像素子Ｆ１と、それを覆う光学フィルタＦ２とを配置して臨ませている。
【００２７】
次に、本実施例の作動を説明する。
図１に示す露光作動終了直後の停止状態において、先羽根用駆動部材３は、図３に示す先羽根用駆動ばね３ｅの付勢力によって時計方向へ回転し、上記当接部３ｄを緩衝部材Ｂ６に接触させて、この停止状態が維持され、この時、先羽根Ａの羽根１は重畳されて、前記開口部Ｂ１，Ｃ１，Ｄ１の下方位置に格納されている。
また、後羽根用駆動部材３′は、後羽根用駆動ばね（図示しない）の付勢力によって時計方向へ回転し、上記当接部３ｄ′をストッパの緩衝部材Ｂ７に接触させて、この停止状態が維持され、この時、後羽根Ａ′の羽根１は展開されて開口部Ｂ１，Ｃ１，Ｄ１を覆っている。
【００２８】
第１実施例のセット作動は、図示しないカメラ側の部材によりセット部材Ｅが復帰ばね（図示しない）の付勢力に抗して、図１に示された初期状態から時計方向へ回転させられ、その押動部Ｅ２で先羽根用駆動部材３を先羽根用駆動ばね３ｅの付勢力に抗して反時計方向へ回転させることにより、その駆動ピン３ａで先羽根Ａのアーム２が反時計方向へ回動して、先羽根Ａの３枚の羽根１は、相互の重なりを小さくしつつ上方へ移動していく。
【００２９】
このようにして、先羽根Ａのスリット形成羽根が後羽根Ａ′のスリット形成羽根に所定量重なると、その段階からは、セット部材Ｅの押動部Ｅ３が後羽根用駆動部材３′を後羽根用駆動ばねの付勢力に抗して反時計方向へ回転させ始めるので、その駆動ピン３ａ′で後羽根Ａ′のアーム２が反時計方向へ回動して、後羽根Ａ′の３枚の羽根１は相互の重なりを大きくしつつ上方へ移動していく。
【００３０】
そして、後羽根Ａ′の羽根１が重畳されて開口部Ｂ１，Ｃ１，Ｄ１の上方位置へ格納されると共に、先羽根Ａの羽根１が展開されて開口部Ｂ１，Ｃ１，Ｄ１を完全に覆い、先羽根用駆動部材３及び後羽根用駆動部材３′に取り付けられた鉄片部材３ｆ，３ｆ′が、周知の先羽根用電磁石（図示しない）と後羽根用電磁石（図示しない）の各鉄芯に夫々確実に接触した段階で、停止させられる。
図２は、そのようにして行われたセット作動の完了状態を示したものである。
【００３１】
その後、撮影に際して、カメラのレリーズボタンが押されると、先羽根用電磁石と後羽根用電磁石の各コイルに通電され、先羽根用駆動部材３及び後羽根用駆動部材３′の鉄片部材３ｆ，３ｆ′が吸着保持されたまま、カメラ側の部材の復帰に伴ってセット部材Ｅが復帰ばねの付勢力によって反時計方向へ回転され、それにより、その押動部Ｅ２，Ｅ３が、先羽根用駆動部材３と後羽根用駆動部材３′から離れて、図１に示された初期位置へ復帰して停止する。
【００３２】
これに続いて、最初に先羽根用電磁石のコイルに対する通電が断たれ、所定時間後には後羽根用電磁石のコイルに対する通電が断たれる。
そこで、先ず、先羽根用電磁石のコイルに対する通電が断たれて保持力が解除されると、先羽根用駆動部材３が、先羽根用駆動ばね３ｅの付勢力によって時計方向へ急速に回転させられ、その駆動ピン３ａで先羽根Ａのアーム２を時計方向へ回動させるので、先羽根Ａの３枚の羽根１は相互の重なり量を大きくしつつ下方へ移動し、スリット形成羽根のスリット形成縁（上辺）によって開口部Ｂ１，Ｃ１，Ｄ１を開放していく。
【００３３】
次に、所定時間経過後に羽根用電磁石のコイルに対する通電が断たれて保持力が解除されると、後羽根用駆動部材３′が、後羽根用駆動ばねの付勢力によって時計方向へ急速に回転させられ、その駆動ピン３ａ′で後羽根Ａ′のアーム２を時計方向へ回動させるので、後羽根Ａ′の３枚の羽根１は、相互の重なり量を小さくしつつ下方へ移動し、スリット形成羽根のスリット形成縁（下辺）によって開口部Ｂ１，Ｃ１，Ｄ１を覆っていく。
【００３４】
このようにして、先羽根Ａと後羽根Ａ′による露光作動が続けられるが、先に作動を開始した先羽根Ａは、スリット形成羽根のスリット形成縁（上辺）が開口部Ｂ１，Ｃ１，Ｄ１から下方へ退いた段階で、先羽根用駆動部材３の駆動ピン３ａの当接部３ｄが緩衝部材Ｂ６に当接することによって停止させられる。
【００３５】
続いて後羽根Ａ′も、スリット形成羽根のスリット形成縁（下辺）が開口部Ｂ１，Ｃ１，Ｄ１を覆いきった段階で、後羽根用駆動部材３′の駆動ピン３ａ′の当接部３ｄ′が緩衝部材Ｂ７に当接することによって停止させられる。
そして、露光作動を終了した直後の状態が、図１に示された状態であり、これにより１回の撮影が終了する。
【００３６】
ところで、このような先羽根Ａ及び後羽根Ａ′の各アーム２，２′の回動中において、各羽根１には、作動方向へ移動させるための力のほかに、各羽根１の各部位には光軸Ｏ方向などへの複雑な力が作用し、あばれ現象を生じさせる。
【００３７】
ところが、第１実施例の場合には、各アーム２，２の連結孔２ｂ，２ｂの周縁部を、駆動ピン３ａ，３ａ′の係止部３ｂ，３ｂ′と、その先端部３ｃ，３ｃ′に固着された止め部材４，４のアーム側面４ａ，４ａとにより駆動ピン３ａ，３ａ′の軸方向（光軸Ｏ方向）へ上下両側から挟み込んで位置決めしていることから、駆動部材３，３′の駆動ピン３ａ，３ａ′で各アーム２，２の連結孔２ｂ，２ｂを地板Ｂの長孔Ｂ４，Ｂ５に沿って往復回動させる時に、これら駆動ピン３ａ，３ａ′と連結孔２ｂ，２ｂとの連結部において止め部材４，４′及び地板Ｂの長孔Ｂ４，Ｂ５へ向かう各アーム２，２のガタツキが抑制され、それに伴う各羽根１の同方向への動きも抑制される。
【００３８】
その結果、各アーム２，２と駆動ピン３ａ，３ａ′の連結部のガタツキによるアーム２，２及び各羽根１の光軸Ｏ方向へのあばれ現象を抑制でき、それにより耐久性を向上できてしかも製作が容易であるからコストの低減が図れるという利点がある。
更に、デジタルカメラに採用された場合には、各羽根１と接近して配置される光学フィルタＦ２との接触を防止できるので、走行中の羽根１のあばれ現象により光学フィルタＦ２に傷が付くことを防止できるという利点もある。
【実施例２】
【００３９】
次に、図５〜図８を用いて本発明の第２実施例の構成を説明する。
この第２実施例は、上述したあばれ現象抑制手段として、前記先羽根Ａ及び後羽根Ａ′の各アーム２，２と駆動ピン３ａ，３ａ′の連結部におけるアーム２，２の光軸Ｏ方向へのガタツキ抑制に代え、図７及び図８に示す如く、先羽根Ａ及び後羽根Ａ′の各アーム２，２′と支軸Ｂ２′，Ｂ８，Ｂ３′，Ｂ９との枢着部におけるアーム２，２′の光軸Ｏ方向へのガタツキを抑制した構成が、前記図１〜図４に示した第１実施例とは異なり、それ以外の構成は図１〜図３に示した第１実施例と同じものである。
【００４０】
前記支軸Ｂ２′，Ｂ８，Ｂ３′，Ｂ９に挿通された先羽根Ａ及び後羽根Ａ′の各アーム２，２′の支持孔２ａ，２ａ′の上下両周縁部と、前記シャッタ地板Ｂ及び補助地板Ｄとの間に、摺接リング５，５を夫々設け、これら摺接リング５，５に各支持孔２ａ，２ａ′の周縁部を回転自在に摺接させて、上記支軸Ｂ２′，Ｂ８，Ｂ３′，Ｂ９の軸方向へ位置決めしている。
【００４１】
詳しく説明すると、前記シャッタ地板Ｂ及び補助地板Ｄの各アーム２，２′と対向する面には、支持孔２ａ，２ａ′の周縁部へ向けて突起部６，６を一体成形するか又はインサート成形などで一体的に夫々形成し、これら突起部６，６の先端面と、支持孔２ａ，２ａ′の上下両周縁部との間に、該突起部６，６に対して回動可能な摺接リング５，５を夫々配置すると共に、該摺接リング５，５の中心孔５ａに支軸Ｂ２′，Ｂ８，Ｂ３′，Ｂ９を挿通して光軸Ｏと直角方向へ移動不能に支持している。
【００４２】
更に、これら摺接リング５，５は、低摩擦係数を有する材料で表面処理して、各アーム２，２′の往復回動に伴って、その支持孔２ａ，２ａ′の周縁部が摺接リング５，５の表面や突起部６，６と滑らかに摺動させることが好ましい。
また、図８において符号Ｄ２，Ｄ３は、前記長孔Ｂ４，Ｂ５と対応して補助地板Ｄに開穿された長孔である。
【００４３】
それにより、図５〜図８に示す第２実施例は、各アーム２，２′の支持孔２ａ，２ａ′の周縁部を、シャッタ地板Ｂの突起部６，６に配置された摺接リング５，５と、補助地板Ｄの突起部６，６に配置された摺接リング５，５とにより支軸Ｂ２′，Ｂ８，Ｂ３′，Ｂ９の軸方向（光軸Ｏ方向）へ上下両側から回転可能に挟み込んで位置決めしていることから、駆動部材３，３′で各アーム２，２′を地板Ｂの長孔Ｂ４，Ｂ５に沿って往復回動させる時に、これら各アーム２，２′の支持孔２ａ，２ａ′と支軸Ｂ２′，Ｂ８，Ｂ３′，Ｂ９との枢着部においてシャッタ地板Ｂ及び補助地板Ｄへ向かう各アーム２，２′のガタツキが抑制されて、それに伴う各羽根１の同方向への動きも抑制される。
【００４４】
その結果、アーム２，２′と支軸Ｂ２′，Ｂ８，Ｂ３′，Ｂ９の枢着部のガタツキによるアーム２，２′及び各羽根１の光軸Ｏ方向へのあばれ現象を抑制でき、それにより上述した第１実施例と同様に耐久性を向上できてしかも製作が容易であるからコストの低減が図れるという利点がある。
更に、デジタルカメラに採用された場合には、上述した第１実施例と同様な利点もある。
【００４５】
尚、第１実施例では、あばれ現象抑制手段として、前記先羽根Ａ及び後羽根Ａ′の各アーム２，２と駆動ピン３ａ，３ａ′の連結部におけるアーム２，２の光軸Ｏ方向へのガタツキを抑制し、また第２実施例では、先羽根Ａ及び後羽根Ａ′のアーム２，２′と支軸Ｂ２′，Ｂ８，Ｂ３′，Ｂ９との枢着部におけるアーム２，２′の光軸Ｏ方向へのガタツキを抑制したが、これに限定されず、これらを組み合わせて配備することも可能である。
【００４６】
更に、第１実施例では、シャッタ地板Ｂに中間板と補助地板を順に取り付け、これら板部材の間に形成された二つの羽根室内に、シャッタ羽根Ａを二組、先羽根、後羽根として夫々羽根１が三枚ずつ個別に配置された場合を示したが、これに限定されず、例えばデジタルカメラに採用されるフォーカルプレーンシャッタの中には、シャッタ地板Ｂと補助地板Ｄとの間に形成された一つの羽根室内にシャッタ羽根Ａを一組のみ備えたり、羽根１の枚数を一枚以上にしたものがあり、本発明はそのようなものに適用しても良い。
これらのように構成しても同等の作用効果が得られる。従って、そのように作動させるようにしたものは本発明に含まれる。
【図面の簡単な説明】
【００４７】
【図１】本発明の一実施例を示すフォーカルプレーンシャッタの被写体側から視た全体の平面図であって、シャッタ羽根の露光作動終了直後の状態を示したものである。
【図２】被写体側から視た全体の平面図であって、シャッタ羽根のセット完了状態を示したものである。
【図３】図１の（３）−（３）線に沿える部分的な縦断面図である。
【図４】駆動ピンとアームとの連結部を部分拡大して示す斜視図である。
【図５】本発明の他の実施例を示すフォーカルプレーンシャッタの被写体側から視た全体の平面図であって、シャッタ羽根の露光作動終了直後の状態を示したものである。
【図６】被写体側から視た全体の平面図であって、シャッタ羽根のセット完了状態を示したものである。
【図７】図５の（７）−（７）線に沿える部分的な縦断面図である。
【図８】補助地板の部品図であり、部分的に拡大して示している。
【符号の説明】
【００４８】
Ａ，Ａ′  シャッタ羽根              Ｂ  地板（シャッタ地板）
Ｂ１  開口部                        Ｂ２′，Ｂ８，Ｂ３′，Ｂ９  支軸
Ｄ  地板（補助地板）                Ｄ１  開口部
１  羽根                            ２，２′  アーム
２ａ，２ａ′  支持孔                ２ｂ  連結孔
３，３′  駆動部材                  ３ａ，３ａ′  駆動ピン
３ｂ，３ｂ′  係止部                ３ｃ，３ｃ′  先端部（先端小径部）
４，４′  止め部材                  ４ａ，４ａ′  アーム側面
５  摺接リング
【図１】
2008164992.tif 000003
【図２】
2008164992.tif 000004
【図３】
2008164992.tif 000005
【図４】
2008164992.tif 000006
【図５】
2008164992.tif 000007
【図６】
2008164992.tif 000008
【図７】
2008164992.tif 000009
【図８】
2008164992.tif 000010